(57)【要約】  【課題】簡単な構造なのに背もたれと座がダイナミックに動く椅子を提供する。  【手段】座１と背もたれ２とは一体に連結されている。座１の左右両側には支柱フレーム５が配置されており、支柱フレーム５の上端から後方に延びる背支持フレーム７に背もたれ２の上部が取付けられ、支柱フレーム５の上端から下方に延びる座支持フレームで座１を吊支している。背もたれ２は屈曲許容部４を備えており、屈曲許容部４よりも僅かに上方の部分が側面視前傾状の補助フレーム９に取付けられている。人が背もたれ２に凭れ掛かると、補助フレーム９は前傾し、背支持フレーム７はその前端を中心に下向き回動し、座支持フレーム８はその上端を中心に手前に回動する。背もたれ２の後傾動に連動して座１が大きく前進動するため、ロッキング状態での快適さを向上できる。【選択図】        図２
2006239078.tif 000002
【特許請求の範囲】
【請求項１】
座及び背もたれと、これら座及び背もたれが支持されるフレーム構造体とを備えており、
前記座の後端と背もたれの下端とは一体に連結されていると共に、背もたれのうちその全体又は上側の大部分が座に対して相対的に後傾動し得るように座と背もたれとの連結部又は背もたれの下部に屈曲許容部が形成されている一方、
前記フレーム構造体は、背もたれが後傾動しつつ座が前進動することを許容する弾性変形部を備えており、前記座は背もたれの下端と同じ寸法だけ前進動するように設定されている、
椅子。
【請求項２】
前記フレーム構造体は、背もたれの上下中途部が取り付く背支持フレームと、座が取り付く座支持フレームとを備えており、座支持フレームは側面視で上下に長く延びる形態に形成されていてその弾性に抗しての変形によって前後方向に回動することが許容されており、背支持フレームを座支持フレームよりも変形しにくい強度に設定している、
請求項１に記載した椅子。
【請求項３】
前記座の左右両側に、座面の上方に延びると共に全く又は殆ど変形しない支柱フレームが配置されており、この支柱フレームの上端部に直接に又はジョイント部材を介して取付けられた前記座支持フレームによって座の前後中途部を吊支している、
請求項１又は２に記載した椅子。
【発明の詳細な説明】
【技術分野】
【０００１】
本願発明は、座と背もたれとをフレーム構造体で支持して成るロッキング（リクライニング）椅子に関するものである。
【背景技術】
【０００２】
座と背もたれとを棒材やパイプ材で構成されたフレーム構造体によって支持して成る椅子において、フレーム構造体の弾性変形を利用して背もたれの後傾動を許容することが行われている。その例が特許文献１に記載されている。
【０００３】
すなわち、この特許文献１の椅子において、フレーム構造体は、床に載る前後長手の左右の下水平部と、下水平部の前端から上向きに立ち上がった左右前足部と、左右足部の上端から後方に延びる上水平部と、ベース部の後端から立ち上がった左右後足部とを備えており、左右の上水平部に座を取付けると共に、左右の上水平部の後端を上向きに立ち上げて下横長部にて接続し、この横長部を背もたれの下部背面に連結する一方、左右の後足部の上端は上横長部で接続して上横長部に背もたれの中途高さ部背面に連結しており、主として後足部が弾性に抗して後傾動することによって背もたれを後傾動させている。
【特許文献１】特公平８−１５４４６号公報
【発明の開示】
【発明が解決しようとする課題】
【０００４】
ところで、着座した人が背もたれに凭れ掛かったロッキング状態（或いはリクライニング状態）において、背もたれが後傾することに加えて座が前進動すると、人の身体が伸び勝手になってリラックス性が高まり、快適さを向上できる。そして、特許文献１の椅子においても背もたれが後傾すると座も前進するが、特許文献１の構成では座と背もたれとは基本的に分離しているため、座の前進距離はごく僅かであり、着座した人に快適さを提供する程の効果はないと言える。
【０００５】
本願発明はこのような現状を改善すべく成されたものである。
【課題を解決するための手段】
【０００６】
請求項１の発明に係る椅子は、座及び背もたれと、これら座及び背もたれが支持されるフレーム構造体とを備えており、前記座の後端と背もたれの下端とは一体に連結されていると共に、背もたれのうちその全体又は上側の大部分が座に対して相対的に後傾動し得るように座と背もたれとの連結部又は背もたれの下部に屈曲許容部が形成されている一方、前記フレーム構造体は、背もたれが後傾動しつつ座が前進動することを許容する弾性変形部を備えており、前記座は背もたれの下端と同じ寸法だけ前進動するように設定されている。
【０００７】
請求項２の発明に係る椅子は、請求項１において、前記フレーム構造体は、背もたれの上下中途部が取り付く背支持フレームと、座が取り付く座支持フレームとを備えており、座支持フレームは側面視で上下に長く延びる形態に形成されていてその弾性に抗しての変形によって前後方向に回動することが許容されており、背支持フレームを座支持フレームよりも変形しにくい強度に設定している。
【０００８】
請求項３の発明に係る椅子は、請求項１又は２において、前記座の左右両側に、座面の上方に延びると共に全く又は殆ど変形しない支柱フレームが配置されており、この支柱フレームの上端部に直接に又はジョイント部材を介して取付けられた前記座支持フレームによって座の前後中途部を吊支している。
【発明の効果】
【０００９】
本願発明によると、フレーム構造体の弾性変形を利用してロッキング機能を付与した椅子でありながら、背もたれの後傾動に連動して座を大きく前進動させることができるため、簡単な構造でありながらロッキング状態での快適さを向上することができる。
【００１０】
背もたれの後傾動に連動して座を前進させる手段には様々の態様が考えられるが、請求項２のように構成すると、座支持フレームは側面視で上下方向に延びていて回動しやすい状態であることにより、座を支持した状態で前後方向に回動するように容易に変形させることができ、従って、背もたれの後傾動と座の前進動とをスムースに行うことができる。
【００１１】
座支持フレームを上下方向に長い形態と成す場合、座支持フレームで座を下方から支持することも可能であるが、請求項３のように座を座支持フレームで吊支すると、座がいわば振り子のような動きをすることにより、背もたれに連動して前進動することがよりスムースに行われる。また、支柱フレームを利用して肘掛けやメモ台を取付けることができる利点もある。
【発明を実施するための最良の形態】
【００１２】
次に、本願発明の実施形態を図面に基づいて説明する。
【００１３】
(1).第１実施形態（図１〜図２）
図１及び図２では第１実施形態を示している。このうち図１（Ａ）は椅子の斜視図であり、この図から理解できるように、椅子は、座１及び背もたれ２とこれを支持するフレーム構造体３とを備えている。
【００１４】
座１の後端と背もたれ２の下端とは一体に繋がっている。図２（Ａ）は椅子の縦断側面図であり、この図に示すように、座板１及び背もたれ３はそれぞれシェル板（座板，背板）１ａ，２ａにクッション１ｂ，２ｂを張った構造になっている。勿論、クッション１ｂ，２ｂを備えないシェル板１ａ，２ａのみの構成とすることも可能である。
【００１５】
背もたれ２は荷重が作用しない自由状態において全体として後傾しており、かつ、シェル板２ａのうち下部（着座した人の腰が当たる程度の高さ位置）を水平状に延びる屈曲許容部４と成し、この屈曲許容部４を挟んで上部の後傾角度を大きくしている。言うまでもないが、背もたれ２は側面視において屈曲許容部４を中心にして屈曲し、その結果、背もたれ２の大部分が座１に対して相対的に後傾動する。
【００１６】
屈曲許容部４を構成する手段としては、屈曲許容部４の箇所の曲げ強度を小さくすれば良い。具体的には、水平状の薄肉部を形成したり、水平状の切目又はスリットを形成したりすれば良い。屈曲許容部４を挟んだ上下においてシェル板２ｂを分断することも可能である。或いは、背もたれを上下２つの部材に分離構成して、これらをピン（軸）や蝶番で連結することも可能である。更に、座１のシェル板１ａと背もたれ２のシェル板２ａとの連設部を弱化部と成したりピン連結部と成すことにより、座１と背もたれ２との連設部を屈曲させることも可能である。
【００１７】
フレーム構造体３は鋼の丸棒材から成っており、座１の左右外側において座１の上方に立ち上がった支柱フレーム５と、支柱フレーム５の下端に連続したベースフレーム６と、支柱フレーム５の上端部近傍から後方に延びて背もたれ２の上部背面に回り込む背支持フレーム７と、支柱フレーム５の上端部近傍から下方に延びて座１の下面に回り込む座支持フレーム８と、ベースフレーム６の後端から側面視前傾状に立ち上がって背もたれ２の背面のうち屈曲許容部４よりも僅かに上方の部分において水平状に延びる補助フレーム９とを備えている。
【００１８】
ベースフレーム６の前端部は座１の前端近くまで延びており、支柱フレーム５は側面視で後傾した姿勢になっている。そして、支柱フレーム５とベースフレーム６とは側面視で前傾したサイド補強フレーム１０で連結されている。このため、支柱フレーム５は殆ど弾性変形しない（多少は変形しても差し支えない）。また、左右の支柱フレーム５は座１よりもやや下方の部位において前部補強ステー１１で連結されている。
【００１９】
図１（Ｂ）に示すように、支柱フレーム５の上端と座支持フレーム８の上端と背支持フレーム７の前端とは横向きに折り曲げられており、これら各横向き折り曲げ部５ｃ，７ｃ，８ｃの三者はジョイント部材１２に溶接等によって固着されている。そして、連結板１２に肘掛け１３を取付けている。
【００２０】
支柱フレーム５の上端と座支持フレーム８の上端と背支持フレーム７の前端と一体に溶接しても良いし、また、ジョイント部材１２を上下二つのパーツに分離して、上下のパーツで各折り曲げ部５ｃ，７ｃ，８ｃを挟み固定するなどしても良い。更に、図１（Ｃ）に示すように、背支持フレーム７と座支持フレーム８とを一体化したり、図示していないが、支柱フレーム５と背支持フレーム８とを一体化したり、支柱フレーム５と座支持フレーム８とを一体化したりすることも可能である。
【００２１】
実施形態のようにジョイント部材１２を用いる場合、各フレーム５，７，８の三者をジョイント部材１２に固定することに限らず、ａ．背支持フレーム７と座支持フレーム８とはジョイント部材１２に固定して支柱フレーム５はジョイント部材１２に相対回転可能に取付ける、ｂ．座支持フレーム８はジョイント部材１２に固定し、背支持フレーム７と支柱フレーム５とは相対回転可能に取付ける、ｃ．背支持フレーム７はジョイント部材１２に固定し、座支持フレーム８と支柱フレーム５とは相対回転可能に取付ける、といったことも可能である。背もたれ２の的確な後傾動と座１の的確な前進動とを確保しつつ適度の弾性抵抗が付与されるように、最適な組合せを選択したらよい。
【００２２】
背支持フレーム７のうち背もたれ２の背面に回り込んでいる横長部７ａは背もたれ２の背面に固定され、座支持フレーム８のうち座１の下面に回り込んでいる横長部８ａは座１の下面に固定され、補助フレーム９のうち背もたれ２の背面箇所に位置している横長部９ａは背もたれ２の背面に取付けられている。
【００２３】
これら各横長部７ａ，８ａ，９ａの取付け手段としては、図２（Ｂ）に示すように、横長部７ａ，８ａ，９ａに嵌まるホルダー部材１４をビス１５でシェル板１ａ，２ａに固定してたり、図２（Ｃ）に示すように、横長部７ａ，８ａ，９ａに外側から重なる押さえ部材１６を介してビス１５で固定したり、図２（Ｄ）に示すように、シェル板１ａ，２ａに形成したボス部１７に押さえ板１８で押さえ保持したりというように、様々の方法を採用できる。各横長部７ａ，８ａ，９ａは、シェル板１ａ，２ａに対して相対回転可能な状態で取付けても良い。
【００２４】
以上の構成において、着座した人が背もたれ２に凭れ掛かると、図２（Ａ）に一点鎖線で示すように、補助フレーム９はその下端を中心にして全傾動し、背支持フレーム５は僅かの角度だけ後傾動し、更に、座支持フレーム８は振り子（或いはブランコ）が揺れるように手前に回動し、これにより、背もたれ２が後傾動しつつ座１は前進動する。
【００２５】
この場合、座１の後端と背もたれ２の下端とは一体に連結されているので、背もたれ２の下端と座１とは同じ距離（寸法）だけ前進する。図２（Ａ）に示すように、背もたれ１の後傾角度及び座２の前進位置を規制するため、座２の下面には、前部補強ステー１１に当たるストッパー１９を設けている。
【００２６】
本実施形態では、背支持フレーム７と座支持フレーム８と補助フレーム９とが請求項に記載した弾性変形部になっているが、補助フレーム９は長さ（スパン）が長いため軽い力で弾性変形し、また、座支持フレーム８は振り子状の姿勢になっているため軽い力で弾性変形する。そして、補助フレーム９の上端９ａは背支持フレーム７の後端７ａよりも手前側に位置しているため、着座した人が背もたれ２にもたれ掛かると、背もたれ２はその下部が手前に移動するように後傾することになり、これにより、座１は確実に前進動する。
【００２７】
なお、座１が座支持フレーム８で吊支されているだけで前部補強ステー１１に当接していないことも、座１のスムースな前進動に貢献している（スライダーやコロを介して座１を前部補強ステー１１等で支持することも可能である。）。また、座１は側面視で鉛直方向に延びる姿勢であるため、非ロッキング状態のときに座１が前後に振れることは殆どなく、このため、非ロッキング状態での安定性も確保することができる。
【００２８】
なお、複数本の座支持フレーム８で座１を吊支することも可能である。また、屈曲許容部４を座１と背もたれ２との連設箇所に位置させても良い。背もたれ２は背支持フレーム７の横長部７ａを中心にして後傾動するので（横長部７ａも移動する）、横長部７ａの位置が高くなるほど座１の前進距離は大きくなる。従って、背もたれ２の後傾動の確実性を考慮しつつ、座１の前進距離が好適な寸法となるように横長部７ａの位置を設定したら良い。
【００２９】
(2).第２実施形態（図３）
図３では第２実施形態を示している。（Ａ）は一部破断側面図、（Ｂ）は部分的な正面図である。この実施形態において座１と背もたれ２とは模式的に表示している。この実施形態では、フレーム構造体３は、椅子の後部側に偏って配置された支柱フレーム５を備えており、支柱フレーム５はリア補強フレーム２１で補強されている。
【００３０】
本実施形態の特徴として、座２は座支持フレーム８で下方から支持されている。座支持フレーム８が前傾動することにより、背もたれ２の後傾動と座２の前進動とが許容される。座支持フレーム８は、ベースフレーム６にステー２２を介して取付けられている（直接に取付けても良い）。また、ベースフレーム６と前足フレーム２３とサイドフレーム２４とリア補強部２１とで側面視台形状の脚部が構成されている。
【００３１】
(3).第３〜４実施形態（図４〜５）
図４では第３実施形態を示している。（Ａ）は概略側面図、（Ｂ）は概略正面図である。
【００３２】
この実施形態では、側面視で後傾姿勢の前部支柱フレーム５ａの上端から座支持フレーム８を垂下し、また、側面視で略鉛直状に延びる後部支柱フレーム５ｂの上端に背支持フレーム７を一体に設けている。この実施形態において、後部支柱フレーム５ｂは殆ど弾性変形しない強度に設定されている（弾性変形しにくいように補強部材を設けても良い）。座支持フレーム８は、前部支柱フレーム５ａの上端を後側に折り曲げることによって形成されている。符号１１ａは後部補強ステーである。
【００３３】
図５では第４実施形態を示している。（Ａ）は概略側面図、（Ｂ）は概略正面図である。この実施形態は第３実施形態の変形例であり、第３実施形態との相違点は、座支持フレーム８が前部支柱フレーム５ａの上端を左右内側に折り曲げることによって形成されている点と、後部支柱フレーム５ｂの上部は正面視で逆Ｌ字状に折り曲げられている点とである。
【００３４】
図４の実施形態では、座支持フレーム８が曲がり変形することによって座１の前進動が許容されるが、図５の実施形態では、座１の前進動は座支持フレーム８と前部支柱フレーム５ａとの連設部２６のねじれ変形（せん断）によって許容されることになり、このため、座支持フレーム８の前後回動が軽い力でスムースに行われる。従って、弾性抵抗の大きい椅子としては図４の構成とし、弾性抵抗が小さい椅子としては図５の構成にしたら良い。
【００３５】
(4).第５〜６実施形態（図６〜図７）
図６では第５実施形態を示している。（Ａ）は概略側面図、（Ｂ）は概略正面図である。この実施形態は、キャスター付きの脚装置２７にフレーム構造体３を取付けたものであり、脚装置２７は金属パイプ製（棒材製でも良い）製の足材２７ａを備えており、側面視で台形状の４本足方式になっている。
【００３６】
他方、フレーム構造体３は、前後の支柱フレーム５ａ，５ｂと背支持フレーム７及び座支持フレーム８を備えており、その構成は基本的には図４の第３実施形態と同じであり、図４との相違点は、図４では前部支柱フレーム５ａが側面視で傾斜しているのに対して、本実施形態では前部支柱フレーム５ａが側面視で鉛直姿勢になっている点である。
【００３７】
図７に示す第６実施形態は第５実施形態の変形例であり、（Ａ）は概略側面図、（Ｂ）は概略正面図である。この第７実施形態と第６実施形態との相違点は、第６実施形態では支柱フレーム５ａ，５ｂと背支持フレーム７と座支持フレーム８とが図４と殆ど同じ形態であったのに対して、この図７では、支柱フレーム５ａ，５ｂと背支持フレーム７と座支持フレーム８とが図５と殆ど同じ形態であっる点である。
【００３８】
但し、図５では前部支柱フレーム５ａが側面視で後傾姿勢であるのに対して、図７では前部支柱フレーム５ａは側面視で鉛直姿勢になっており、従って、図７では、前部支柱フレーム５ａと座支持フレーム８とは側面視で重なり合っている。
【００３９】
(5).第７〜８実施形態（図８〜図９）
図８では第７実施形態を示している。（Ａ）は概略側面図、（Ｂ）は概略正面図である。この実施形態は、脚装置２７にフレーム構造体３を取付けたものであるが、脚装置２７は、ガスシリンダ２８から成る脚柱を複数本の枝杆２９で支持した構成になっており、ガスシリンダ２８の上端に設けた支基ベース３０にフレーム構造体３を取付けている。フレーム構造体３は図６と同じ形態になっている。
【００４０】
図９では第８実施形態を示しており、（Ａ）は概略側面図、（Ｂ）は概略正面図である。この実施形態は第７実施形態の変形例であり、第７実施形態のフレーム構造体３を図７のフレーム構造体３に置き換えたものである。これら図８及び図９から理解できるように、本願発明は、座１及び背もたれ２を高さ調節できる回転椅子にも適用できるのである。図示していないが、劇場用椅子や競技場用椅子のような固定椅子にも適用できる。
【００４１】
(6).第９実施形態（図10）
図１０では第９実施形態を示している。（Ａ）は座１及び背もたれ２を仮想線で表示した斜視図、（Ｂ）は概略側面図である。この実施形態は図７で示した第６実施形態と類似しており、図７との大きな相違点は、前部支柱フレーム５ａに前部座支持フレーム８′を一体に設け、後部支柱フレーム５ｂに、後部座支持フレーム８を設けて、前後の座支持フレーム８′，８によって座１を吊支している点である。
【００４２】
この実施形態では、後部支柱フレーム５ｂの上端の横向き折り曲げ部５ｃと、背支持フレーム７の横向き折り曲げ部７ｃと、座支持フレーム８の横向き折り曲げ部８ｃとをジョイント部材１２で連結するにおいて、背支持フレーム７の横向き折り曲げ部７ｃと座支持フレーム８の横向き折り曲げ部８ｃとを向かい合わせ状に形成し、両折り曲げ部７ｃ，８ｃを同心状に配置している。従って、座支持フレーム８は背支持フレーム７よりも内側に配置されている。
【００４３】
この場合、背支持フレーム７及び座支持フレーム８ともジョイント部材１２に相対回転可能に取り付けるのが好ましく、この場合は、ロッキング状態から背もたれ２及び座１を元の状態に戻す弾性復元力は主として前部座支持フレーム８によって確保される。なお、ジョイント部材１２に対する各フレーム５，７，８の取付け関係は、第１実施形態と同様に様々の組合せを採用できる。
【００４４】
本実施形態では、座１はその後端寄り部位を中心にして前側の大部分を跳ね上げ回動できるようになっている（従って、座１は前後２つの部材に分離されている。このため、複数の椅子を前後にスタッキングすることが可能である（前後の椅子の脚が干渉しないように、図７と同様に、前部の足２７ａの左右間隔と後部の足の左右間隔とは異ならせている。
【００４５】
また、座１の跳ね上げ回動を許容した状態で座１を前部座支持フレーム８で支持できるように、座１の下面には、前部座支持フレーム８の横長部８ａ′に嵌脱する凹状係合部３２を設けている。座１の回動中心が後部座支持フレーム８の横長部８ａよりも後方に位置している場合は、後部座支持フレーム８の横長部８ａに対しても凹状係合部３２を嵌脱させたら良い。
【００４６】
(7).第10実施形態（図11）
図１１では第１０実施形態を示している。この実施形態では、上向きに立ち上がる背支持フレーム７の上端に背もたれ２を前後傾動可能に取付けて、座１を前後２本の座支持フレーム８で支持している。
【００４７】
この実施形態では、背支持フレーム７は補杆３３で倒れ回動不能に保持されていて本質的には剛体構造てあり、背もたれ２の後傾動と座１の前進動とに対する弾性抵抗は主として座支持フレーム８が担っている。従って、座支持フレーム８が背もたれに記載した弾性変形部になっている。また、この実施形態では座支持フレーム８にはこれが軸方向に伸縮することを許容する曲がり部８ａを設けている。
【００４８】
(8).その他
本願発明は、上記の実施形態の他にも様々に具体化することができる。例えば背支持フレームや座支持フレームの形態は必要に応じて様々に具体化することができる。また、座を支持する方法としては、上方から吊り下げる座支持フレームと下方らか支える座支持フレームとを併用することも可能である。背支持フレームを複数本配置することも可能である。
【００４９】
また、座の後端と背もたれの下端とは必ずしも左右全長にわたって連結する必要はなく、左右方向に沿って飛び飛びの状態て連結してもよい。また、座と背もたれとを別々に製造して、他の連結具によって連結しても良いのである。
【００５０】
第１実施形態の場合、座支持フレームを設けずに、座を前部補強フレーム等の横長ステーによってスライド自在に支持することも可能である。また、第１実施形態のように背支持フレームや座支持フレームや補強フレームを設ける場合、その横長部は必ずしも背もたれ又は座の左右全長にわたって長く延びている必要はない。
【図面の簡単な説明】
【００５１】
【図１】第１実施形態を示す図である。
【図２】第１実施形態を示す図である。
【図３】第２実施形態を示す図である。
【図４】第３実施形態を示す図である。
【図５】第４実施形態を示す図である。
【図６】第５実施形態を示す図である。
【図７】第６実施形態を示す図である。
【図８】第７実施形態を示す図である。
【図９】第８実施形態を示す図である。
【図１０】第９実施形態を示す図である。
【図１１】第１０実施形態を示す図である。
【符号の説明】
【００５２】
１  座
２  背もたれ
３  フレーム構造体
４  屈曲許容部
５，５ａ，５ｂ  支柱フレーム
７  背支持フレーム
８  座支持フレーム
９  補助フレーム
１３  肘当て
【図１】
2006239078.tif 000003
【図２】
2006239078.tif 000004
【図３】
2006239078.tif 000005
【図４】
2006239078.tif 000006
【図５】
2006239078.tif 000007
【図６】
2006239078.tif 000008
【図７】
2006239078.tif 000009
【図８】
2006239078.tif 000010
【図９】
2006239078.tif 000011
【図１０】
2006239078.tif 000012
【図１１】
2006239078.tif 000013